(57)【要約】【課題】（イ）参考文献のものは、録画撮影者の身体に装着するもので、視聴用での使用には全く不向きであり、想定されてもいない。（ロ）機器の仕組みが複雑で準備に手間が掛かる。（ハ）形状が大きく持ち運びに不便。（ニ）用途毎に部品交換が必要で手間がかかる。  こうした諸問題を受けて、車のヘッドレストやベビーカー等に手早く簡単に機器固定できる用具を提供する。【解決手段】  面ファスナー雄が自在に着脱可能な布であるトイクロス（登録商標）様の生地でできた帯状の本体ベルト下方に携帯電子映像機器等を固定できる機器固定部を設け、本体ベルトを巻いたり、物に巻き付けたりして面ファスナー雄で接着固定し、機器固定部に携帯電子映像機器等を挿入固定して使用する事により、卓上、車のヘッドレスト、ベビーカー等、多様な場面で手早く平易に且つ安全に利用出来る様にした携帯電子映像機器等の固定用具。【選択図】図２
2013216299.tif 000002
【特許請求の範囲】
【請求項１】
面ファスナー雄がどこにでも自在に着脱可能な布であるトイクロス（登録商標）様の生地を表側に使用した帯状の本体ベルトにおいて、全体の７分の６程を占めるベルト長片部、残り７分の１程のエリアの末端部をベルト短片部と呼び、このベルト長片部の最も下のエリアでベルト短片部との境界線に沿って設けられた取り付け部において一端を固定された開閉式の蓋の様に機器固定部を設け、またこの機器固定部の他端の縁はつまみ片となり、つまみ片の裏側（本体ベルトとの対向面）につまみ片留め部面ファスナー雄を設け、機器固定部におけるつまみ片と取り付け部との間には、両サイドに平行に平ゴム様の弾性材で機器固定ベルトが形成され、機器固定ベルトを覆う様に透明板を設け、機器固定部の透明板の周囲は本体ベルト裏地と同じ素材で縁取りされ、上部はつまみ片、下部は取り付け部となり、両サイドは本体ベルト幅よりもはみ出して外側にソフトに膨らむように形成し、ベルト短片部裏側に取り付け調節部面ファスナー雄を設けるよう形成することを特徴とする携帯電子映像機器等の固定用具。
【発明の詳細な説明】
【技術分野】
【０００１】  本発明は、スマートフォン等の動画の閲覧、ゲーム等が可能な携帯電子映像機器等を車内、ベビーカー、又卓上に一時的に固定したり取り外したり出来る固定用具に関するものである。
【背景技術】
【０００２】  従来、ビデオカメラやスマートフォン等を肩や平面に固定して録画を行う用具はあった。
（特許文献１参照）。
車内、ベビーカー、卓上等多用な場所に固定して視聴可能な用具は無く、移動中の車内や、ベビーカーにて子供がじっと座っていられない時や飽きてぐずってしまった時にスマートフォン等を手に持って動画等を見せていた。また、レストラン等の公共の場等でも同様の時に卓上にそのまま置くか、その場にある物に立て掛けて見せていた。
【先行技術文献】
【特許文献】
【０００３】
【特許文献１】  特許公開  ２０１１−６６９３０号広報
【発明の概要】
【発明が解決しようとする課題】
【０００４】（イ）  参考文献のものは、録画撮影者の身体に装着するもので、視聴用での使用には全く不適であり、想定されてもいない。
（ロ）  機器の仕組みが複雑で準備に手間が掛かる。
（ハ）  形状が大きく持ち運びに不便
（ニ）  用途毎に部品交換が必要で手間がかかる。
【課題を解決する為の手段】
【０００５】  面ファスナー雄がどこにでも自在に着脱可能な布であるトイクロス（登録商標）様の生地を表側に使用した帯状の本体ベルトにおいて、全体の７分６程を占めるベルト長片部、残り７分の１程のエリアの末端部をベルト短片部と呼び、このベルト長片部の最も下のエリアでベルト短片部との境界線に沿って設けられた取り付け部において一端を固定された開閉式の蓋の様に機器固定部を設ける。
この機器固定部の他端の縁はつまみ片となり、つまみ片の裏側（本体ベルトとの対向面）につまみ片留め部面ファスナー雄を設ける。機器固定部におけるつまみ片と取り付け部との間には、両サイドに平行に平ゴム様の弾性材で機器固定ベルトが形成され、機器固定ベルトを覆う様に透明板を設ける。  機器固定部の透明板の周囲は本体ベルト裏地と同じ素材で縁取りされ上部はつまみ片、下部は取り付け部となり、両サイドは本体ベルト幅よりもはみ出して外側にソフトに膨らむように形成する。  ベルト短片部裏側に取り付け調節部面ファスナー雄を設ける。
以上の構成よりなる、携帯電子映像機器等の固定用具である。
【発明の効果】
【０００６】（イ）動画、ワンセグの視聴、ゲーム、撮影等多彩な用途がある。
（ロ）形状がコンパクト且つ軽量で持ち運びも容易。
（ハ）使用方法が簡単。
（ニ）透明板の後ろに弾性材を使用した機器固定ベルトを設ける事により、携帯電子映像機器等のサイズを問わず使用できる。
（ホ）透明板の上から操作が可能なので、機器操作の都度、機器を用具から取り外す必要が無い。
（ヘ）子供から大人まで利用範囲が広い。
（ト）携帯電子映像機器等を固定する為、手に持つ煩わしさが無く、特に子供の場合等落下の危険も無い。
（チ）車内等では手に持たずに携帯電子映像機器等を使用出来るため、車酔いの心配も無く、子供にお茶を飲ませたり、他の用事も出来る。
（リ）卓上や車のヘッドレストに於いて使用する場合等、複数人でも楽しめる。
（ヌ）使用頻度に耐え得るよう又、機器の出し入れが容易なように機器固定部の両サイドをやや膨らませ且つ補強した。
（ル）安価に取得できる。
（オ）卓上使用の場合、簡単な会議等にも使用可能。
（ワ）その他多種多様な場面に利用できる。
【図面の簡単な説明】
【０００７】
【図１】  本発明の平面図
【図２】  図１における機器固定部を開けた状態を示す斜視図
【図３】  図２を裏面から見た斜視図
【図４】  本発明を車のヘッドレストに取り付けて使う場合の実施例を示す斜視図
【図５】  本発明を卓上で使う場合の実施例を示す斜視図
【図６】  本発明をベビーカーで使う場合の実施例を示す斜視図
【発明を実施する為の形態】
【０００８】  以下本発明の実施の形態を説明する。
面ファスナー雄がどこにでも自在に着脱可能な布であるトイクロス（登録商標）様の生地を表側に使用した帯状の本体ベルトにおいて、全体の７分の６程を占めるベルト長片部（１）、残り７分の１程のエリアの末端部をベルト短片部（２）と呼び、このベルト長片部（１）の最も下のエリアでベルト短片部（２）との境界線に沿って設けられた取り付け部（４）において一端を固定された開閉式の蓋の様に機器固定部（３）を設ける。  この機器固定部（３）の他端の縁はつまみ片（５）となり、つまみ片（５）の裏側（本体ベルトとの対向面）につまみ片留め部面ファスナー雄（６）を設ける。機器固定部（３）におけるつまみ片（５）と取り付け部（４）との間には、両サイドに平行に平ゴム様の弾性材で機器固定ベルト（７）が形成され、機器固定ベルト（７）を覆う様に透明板（８）を設ける。  機器固定部（３）の透明板（８）の周囲は本体ベルト裏地と同じ素材で縁取りされ、上部はつまみ片（５）、下部は取り付け部（４）となり、両サイドは本体ベルト幅よりもはみ出して外側にソフトに膨らむように形成する。  ベルト短片部（２）裏側に取り付け調節部面ファスナー雄（９）を設ける。
本発明は以上のような構成であり、以下、実施の形態を説明する。
（イ）自家用車前座席（１０）のヘッドレスト（１１）に装着して使用する場合は、ヘッドレストの中央部に機器固定部（３）が後部座席から見安い位置に来る様に本体ベルトを縦に巻き付け、取り付け調節部面ファスナー雄（９）をベルト長片部（１）に接着する事により固定する。  機器固定部（３）を開けスマートフォン等の携帯電子映像機器（１５）等を機器固定部（３）の機器固定ベルト（７）と透明板（８）の間に挿入し、つまみ片止め部面ファスナー雄（６）をベルト長片部（１）に接着する事により固定する。
これを使用して動画等を見せる事により、幼児子供が車内で飽きたり、ぐずったりした時も紛らす事が出来、又、大人もゆっくり座って動画、ワンセグ、映画等を楽しむことが出来る。  更に、透明板（８）の上から機器の操作が出来るので操作の度に機器を出し入れする面倒も無い。  また、透明板（８）の両サイドが補強されており且つソフトに膨らんでいるので機器を挿入する際につまみ易く頻繁な使用にも耐える。
（ロ）卓上において使用する場合は、本体ベルトをベルト長片部（１）の先端より巻いてゆき、機器固定部（３）が前面に来る様且つ、ベルト短片部（２）が底面に来るようにセットし、取り付け調節部面ファスナー雄（９）をベルト長片部（１）に接着する事により固定する。  機器固定部（３）を開いて携帯電子映像機器（１５）等を機器固定部（３）の機器固定ベルト（７）と透明板（８）の間に挿入し、つまみ片止め部面ファスナー雄（６）を本体ベルト長片部（１）に接着する事により固定し使用する。
卓上においては複数人での視聴も可能で、兄弟姉妹、お友達とも楽しめる。レストランや公共の場で、子供が大人しく出来ない時にこれを利用して紛らす事が出来る。仕事においても、設備の充実していない場所での簡単な会議等に利用できる。平ゴム様の弾性材で出来た機器固定ベルト（７）で携帯電子映像機器（１５）等を固定するので、機器の大小を問わず市販されている殆どの携帯電子映像機器（１５）に対応する。
（ハ）ベビーカー（１３）に取り付けて使用する場合は、ベビーカー（１３）の前ハンドル（１４）中央部に本体ベルトのベルト長片部（１）を先端からしっかり巻き付け正面に機器固定部（３）が来る様にして、取り付け調節部面ファスナー雄（９）をベルト長片部（１）に接着する事により固定する。  機器固定部（３）を開いて機器固定部（３）の機器固定ベルト（７）と透明板（８）の間に携帯電子映像機器（１５）等を挿入し、つまみ片止め部面ファスナー雄（６）をベルト長片部（１）に接着する事により固定し、使用する。
幼児がベビーカーでの移動に飽きてベビーカーから立ち上がろうとしたり、ベビーカーに乗せたくてもなかなか乗ってくれない時などこれを利用して動画等を見せ、紛らすことができ、幼児を連れての外出を少しでも楽に出来る。
【符号の説明】
【０００９】１  ベルト長片部、  ２  ベルト短片部、  ３  機器固定部、  ４  取り付け部、
５  つまみ片、  ６  つまみ片留め部面ファスナー雄、
７  機器固定ベルト、  ８  透明板、  ９  取り付け調節部面ファスナー雄、
１０  自家用車前座席、  １１  ヘッドレスト、  １２  机、  １３  ベビーカー
１４  前ハンドル、  １５  携帯電子映像機器
【図１】
2013216299.tif 000003
【図２】
2013216299.tif 000004
【図３】
2013216299.tif 000005
【図４】
2013216299.tif 000006
【図５】
2013216299.tif 000007
【図６】
2013216299.tif 000008